(57)【要約】【課題】無線リソースを効率よく利用できる無線通信システムおよび無線端末を提供する。【解決手段】無線端末１において、トラフィックチャネルが必要になった場合に、記憶部１２に記憶された最大トラフィックチャネル数獲得情報に従って、すでに獲得しているトラフィックチャネル数が負荷率値に対応した最大トラフィックチャネル数より多い場合はトラフィックチャネル獲得処理部１５３が新たなトラフィックチャネルの獲得を控える。【選択図】図２
2008187546.tif 000002
【特許請求の範囲】
【請求項１】
複数の基地局と、当該複数の基地局と無線通信を行う無線端末と、
を有する無線通信システムであって、
前記複数の基地局は、それぞれ、自らのトラフィックチャネルの負荷率を前記無線端末に通知し、
前記無線端末は、
前記複数の基地局と無線通信を行う通信部と、
前記通信部が前記無線通信により取得した前記負荷率と、前記負荷率に対応した獲得可能最大トラフィックチャネル数に関する情報である最大獲得トラフィックチャネル数情報と、前記基地局からの信号の信号強度とを記憶する記憶部と、
制御部と、
を有し、
前記制御部は、新たなトラフィックチャネルが必要となった場合に、前記通信部が前記基地局と無線通信を行い取得した前記負荷率を基に、前記記憶部に記憶された最大獲得トラフィックチャネル数情報を参照して、当該負荷率に対応した獲得可能最大トラフィックチャネル数を読み出し、すでに取得しているトラフィックチャネル数が前記獲得可能最大トラフィックチャネル数より少ない場合には、トラフィックチャネル獲得処理を実行し、すでに取得しているトラフィックチャネル数が前記獲得可能最大トラフィックチャネル数より多い場合には、トラフィックチャネルを要求するトラフィックチャネル要求信号を前記基地局に送信しない
ことを特徴とする無線通信システム。
【請求項２】
前記記憶部は、予め設定された優先度に関する優先度情報と、異なる前記優先度に応じた複数の前記最大獲得トラフィックチャネル数情報を記憶し、
前記制御部は、当該無線端末の優先度に応じた前記最大獲得トラフィックチャネル数情報を参照して、前記負荷率に対応した獲得可能最大トラフィックチャネル数を読み出す
ことを特徴とする請求項１に記載の無線通信システム。
【請求項３】
前記制御部は、すでに取得しているトラフィックチャネル数が前記獲得可能最大トラフィックチャネル数より多い場合に、接続可能な他の基地局へのハンドオーバ処理を実行する
ことを特徴とする請求項１または２に記載の無線通信システム。
【請求項４】
前記制御部は、前記ハンドオーバ処理の実行時に、接続可能な複数の他の基地局の負荷率を基に、前記記憶部に記憶された最大獲得トラフィックチャネル数情報を参照して、それぞれの基地局の最大獲得トラフィックチャネル数情報を読み出し、現在接続中の基地局よりも最大獲得トラフィックチャネル数が多い基地局があるか否かの判定を行い、現在接続中の基地局よりも最大獲得トラフィックチャネル数が多い基地局がある場合に、当該基地局の中でもっとも信号強度が強い基地局へのハンドオーバを実行する
ことを特徴とする請求項３に記載の無線通信システム。
【請求項５】
前記記憶部は、動作モードに関する動作モード情報を記憶し、
前記制御部は、前記記憶部に記憶された前記動作モード情報に従い、新たなトラフィックチャネルが必要となった場合に、
前記通信部が前記基地局と無線通信を行い取得した前記負荷率を基に、前記記憶部に記憶された最大獲得トラフィックチャネル数情報を参照して、当該負荷率に対応した獲得可能最大トラフィックチャネル数を読み出し、すでに取得しているトラフィックチャネル数が前記獲得可能最大トラフィックチャネル数より少ない場合には、トラフィックチャネル獲得処理を実行し、すでに取得しているトラフィックチャネル数が前記獲得可能最大トラフィックチャネル数より多い場合には、トラフィックチャネル要求信号を前記基地局に送信せず処理を終了する第１のモードと、
当該無線端末の優先度に応じた前記最大獲得トラフィックチャネル数情報を参照して、前記負荷率に対応した獲得可能最大トラフィックチャネル数を読み出し、すでに取得しているトラフィックチャネル数が前記優先度に応じた獲得可能最大トラフィックチャネル数より少ない場合には、トラフィックチャネル獲得処理を実行し、すでに取得しているトラフィックチャネル数が前記優先度に応じた獲得可能最大トラフィックチャネル数より多い場合には、トラフィックチャネル要求信号を前記基地局に送信せず処理を終了する第２のモードと、
すでに取得しているトラフィックチャネル数が前記獲得可能最大トラフィックチャネル数或いは優先度に応じた獲得可能最大トラフィックチャネル数より多い場合に、接続可能な他の基地局へのハンドオーバ処理を実行する第３のモードと、
のいずれかの動作モードに遷移して新たなトラフィックチャネルを獲得しようとする
ことを特徴とする請求項１から４のいずれか一項に記載の無線通信システム。
【請求項６】
複数の前記無線端末を有する無線通信システムであって、
前記複数の無線端末は、それぞれ個別に前記優先度を設定されている
ことを特徴とする請求項５に記載の無線通信システム。
【請求項７】
前記制御部は、緊急用電話番号への発呼により新たなトラフィックチャネルが必要になった場合には、前記動作モード情報に従わず、すでに獲得しているトラフィックチャネル数が獲得可能最大トラフィックチャネル数より多い場合でも、トラフィックチャネル要求信号を前記基地局に送信する
ことを特徴とする請求項１から６のいずれか一項に記載の無線通信システム。
【請求項８】
複数の基地局と無線通信を行う通信部と、
前記通信部が無線通信により取得した、前記複数の基地局それぞれのトラフィックチャネルの負荷率に関する情報と、前記負荷率に対応した獲得可能最大トラフィックチャネル数に関する情報である最大獲得トラフィックチャネル数情報と、前記基地局からの信号の信号強度とを記憶する記憶部と、
制御部と、
を有し、
前記制御部は、新たなトラフィックチャネルが必要となった場合に、前記通信部が前記基地局と無線通信を行い取得した前記負荷率を基に、前記記憶部に記憶された最大獲得トラフィックチャネル数情報を参照して、当該負荷率に対応した獲得可能最大トラフィックチャネル数を読み出し、すでに取得しているトラフィックチャネル数が前記獲得可能最大トラフィックチャネル数より少ない場合には、トラフィックチャネル獲得処理を実行し、すでに取得しているトラフィックチャネル数が前記獲得可能最大トラフィックチャネル数より多い場合には、トラフィックチャネルを要求するトラフィックチャネル要求信号を前記基地局に送信しない
ことを特徴とする無線端末。
【発明の詳細な説明】
【技術分野】
【０００１】
本発明は、無線通信を行う無線通信システムおよび無線端末に関する。
【背景技術】
【０００２】
従来、携帯電話やＰＨＳ（Personal Handy Phone）等の無線端末と基地局によって構成された移動通信システムにおいては、サービス提供エリア内に複数の基地局を設置して複数のセル（基地局から電波が届く範囲）に分割し、無線端末の動きに合わせて基地局がそれぞれ自らの管轄するセルに無線リソース（周波数、タイムスロット等）の空きがあるかを判断し、空きがある場合には無線端末に対して通信チャネルの割り当てを行い、空きが無い場合には通信チャネルの割り当てを行わないこととしていた。
【０００３】
しかし、上述した移動通信システムでは、無線端末から特定の基地局に非常に多くのアクセスが一時に集中した場合、通信が輻輳し、回線が確保されなくなることがあった。
これを解消する技術として、例えば特許文献１或いは２に開示された技術がある。
【特許文献１】特開平８−３１７４７１号公報
【特許文献２】特開２００６−１９１５９２号公報
【発明の開示】
【発明が解決しようとする課題】
【０００４】
特許文献１には、ランダムアクセスチャネルに対する移動局の発信動作を、グループ選択的且つ有限長の時間幅を以って一時的に禁止する通信規制情報により規制するアクセス規制方法が開示されている。
特許文献２には、第１のセル及び第２のセルを含む複数のセルのネットワークに関連する通信ノードからの、１以上の共用無線チャネル上でトラフィック負荷を再分配するトラフィック負荷分散方法が開示されている。
しかし、特許文献１に開示された技術では、チャネルが割り当てられるか否かにかかわらず無線端末から基地局へチャネル割り当てのための送信が行われ、これによって無線リソースが消費されてしまい、これがトラフィック輻輳の原因となってしまう、という不利益があった。
【０００５】
本発明は、上述した不利益を解消するために、無線リソースを効率よく利用できる無線通信システムおよび無線端末を提供することを目的とする。
【課題を解決するための手段】
【０００６】
上述した目的を達成するために、第１の発明の無線通信システムは、複数の基地局と、当該複数の基地局と無線通信を行う無線端末と、を有する無線通信システムであって、前記複数の基地局は、それぞれ、自らのトラフィックチャネルの負荷率を前記無線端末に通知し、前記無線端末は、前記複数の基地局と無線通信を行う通信部と、前記通信部が前記無線通信により取得した前記負荷率と、前記負荷率に対応した獲得可能最大トラフィックチャネル数に関する情報である最大獲得トラフィックチャネル数情報と、前記基地局からの信号の信号強度とを記憶する記憶部と、制御部と、を有し、前記制御部は、新たなトラフィックチャネルが必要となった場合に、前記通信部が前記基地局と無線通信を行い取得した前記負荷率を基に、前記記憶部に記憶された最大獲得トラフィックチャネル数情報を参照して、当該負荷率に対応した獲得可能最大トラフィックチャネル数を読み出し、すでに取得しているトラフィックチャネル数が前記獲得可能最大トラフィックチャネル数より少ない場合には、トラフィックチャネル獲得処理を実行し、すでに取得しているトラフィックチャネル数が前記獲得可能最大トラフィックチャネル数より多い場合には、トラフィックチャネルを要求するトラフィックチャネル要求信号を前記基地局に送信しない。
【０００７】
第２の発明の無線端末は、複数の基地局と無線通信を行う通信部と、前記通信部が無線通信により取得した、前記複数の基地局それぞれのトラフィックチャネルの負荷率に関する情報と、前記負荷率に対応した獲得可能最大トラフィックチャネル数に関する情報である最大獲得トラフィックチャネル数情報と、前記基地局からの信号の信号強度とを記憶する記憶部と、制御部と、を有し、前記制御部は、新たなトラフィックチャネルが必要となった場合に、前記通信部が前記基地局と無線通信を行い取得した前記負荷率を基に、前記記憶部に記憶された最大獲得トラフィックチャネル数情報を参照して、当該負荷率に対応した獲得可能最大トラフィックチャネル数を読み出し、すでに取得しているトラフィックチャネル数が前記獲得可能最大トラフィックチャネル数より少ない場合には、トラフィックチャネル獲得処理を実行し、すでに取得しているトラフィックチャネル数が前記獲得可能最大トラフィックチャネル数より多い場合には、トラフィックチャネルを要求するトラフィックチャネル要求信号を前記基地局に送信しない。
【発明の効果】
【０００８】
本発明によれば、無線リソースを効率よく利用できる無線通信システムおよび無線端末を提供することができる。
【発明を実施するための最良の形態】
【０００９】
以下、本発明の無線端末１を含む無線通信システム１００について説明する。
図１は、無線通信システム１００の構成例を示す図である。
図１に示すように、無線通信システム１００は、無線端末１と、複数の基地局２とを有する。
無線端末１は、例えば携帯電話やＰＨＳのような無線通信端末であり、基地局２と無線通信を行う。
基地局２は、無線端末１との間で無線通信を行うための装置である。
なお、図１に示した無線通信システム１００では、説明のために無線端末１が１つの場合を示しているが、本発明の無線通信システム１００は、複数の無線端末１を有していてもよい。
【００１０】
図２は、無線端末１の構成例を示すブロック図である。
図２に示すように、無線端末１は、通信部１１と、記憶部１２と、表示部１３と、操作部１４と、制御部１５と、を有して構成される。
通信部１１は、基地局２と無線通信を行い、通話、文字メッセージの送信又は受信処理を行う。
記憶部１２は、無線端末１の各動作に関する様々な情報やデータ、例えば通信相手の名前、通信相手の電話番号、通信相手のメールアドレス等の情報を含むアドレス帳情報、着信音、着信メロディ又は音声メッセージ等の音声情報、各種アイコン等の画像データ等を記憶する記憶媒体である。また、この記憶部１２には、後述する最大トラフィックチャネル数獲得情報が記憶されている。
【００１１】
表示部１３は、例えば液晶パネルで構成される表示デバイスであり、現在の時刻や入力情報などの各種情報の他、電子メールの受信情報や内容を表示する。
操作部１４は、テンキーやボタン、スイッチ等の操作デバイスであり、無線端末１の各種動作時のユーザの操作を受け付ける。
制御部１５は、無線端末１の各種制御を統制する中央処理部であり、例えば、表示部１３への各種情報の表示制御、着信時の報知制御、操作部１４からの各種入力操作に基づく操作情報の制御、音声通話時の音声等の入力制御、通信部１１を介した通信制御等の各種制御を行う。
【００１２】
また、制御部１５は、報知チャネル受信処理部１５１、トラフィックチャネル数監視部１５２、トラフィックチャネル獲得処理部１５３、トラフィックチャネル要求部１５４、ハンドオーバ処理部１５５を有する。
報知チャネル受信処理部１５１は、定期的に受信可能なすべての基地局の報知チャネルを通信部１１を介して受信する。
無線通信システム１００では、特定の周波数範囲を使用して無線端末１と基地局２とが通信を行うが、この周波数範囲は複数のチャネルに分けられて使用される。これら複数のチャネルは、発呼／着呼や位置登録のための情報を流している制御チャネル（ＣＣＨ：Control CHannel）を含んでいる。
報知チャネル受信処理部１５１は、受信した報知チャネルに含まれる各基地局の負荷率値を記憶部１２に記憶させる。基地局の負荷率値は、各基地局が所有しているチャネル容量に対する平均的なデータ転送要求量の割合を示している。
報知チャネル受信処理部１５１の報知チャネル受信処理について図３を参照して説明する。
図３は、報知チャネル受信処理部１５１の報知チャネル受信処理時の動作例を示すフローチャートである。
ステップＳＴ１：
報知チャネル受信処理部１５１は、定期的に（例えば、１０秒に１回）報知チャネルを受信する。
ステップＳＴ２：
報知チャネル受信処理部１５１は、ステップＳＴ１において受信した報知チャネルから各種データを抽出する。各種データとは、報知チャネルを送信した基地局の負荷率値の他、信号強度、基地局のＩＤ等である。
ステップＳＴ３：
報知チャネル受信処理部１５１は、ステップＳＴ２において抽出した各種データを記憶部１２に記憶する。
【００１３】
トラフィックチャネル数監視部１５２は、トラフィックチャネル（ＴＣＨ：Traffic CHannel）数を定期的に監視する。
基地局の負荷率値は動的に変化するため、トラフィックチャネル数監視部１５２は、基地局の負荷率値の変化と通信部１１を介して後述するトラフィックチャネル獲得処理部１５３が獲得したトラフィックチャネル数とを監視し、トラフィックチャネル獲得処理部１５３がトラフィックチャネルを獲得している場合は、記憶部１２に記憶された最大トラフィックチャネル数獲得情報を確認する。
最大トラフィックチャネル数獲得情報は、あらかじめ設定された、負荷率値とその負荷率値における最大トラフィックチャネル獲得数との対応関係を示す情報であり、記憶部１２に記憶されている。
【００１４】
トラフィックチャネル数監視部１５２は、報知チャネル受信処理部１５１が受信した負荷率値を基に、最大トラフィックチャネル数獲得情報を参照して、負荷率値に対応した獲得可能な最大トラフィックチャネル数を読み出す。トラフィックチャネル獲得処理部１５３が獲得したトラフィックチャネル数が、獲得可能最大トラフィックチャネル数よりも少ない場合（すなわち、トラフィックチャネル獲得処理部１５３が獲得したトラフィックチャネル数が制限を越えていない場合）は、トラフィックチャネル数監視部１５２は何もしないが、トラフィックチャネル獲得処理部１５３が獲得したトラフィックチャネル数が、獲得可能最大トラフィックチャネル数よりも多い場合（すなわち、トラフィックチャネル獲得処理部１５３が獲得したトラフィックチャネル数が制限を越えた場合）は、トラフィックチャネル数監視部１５２は、獲得したトラフィックチャネル数が獲得可能最大トラフィックチャネル数になるまで獲得したトラフィックチャネルを解放し、後述するトラフィックチャネル要求部１５４にトラフィックチャネルを解放した旨を通知する。
【００１５】
上述した処理により、無線端末１はほぼ常に獲得しているトラフィックチャネル数を最大トラフィックチャネル数獲得情報により負荷率値に対応した獲得可能最大トラフィックチャネル数以下に抑えることができるため、無線通信システム１００における無線リソースを節約することができる。
【００１６】
図４に、トラフィックチャネル数監視部１５２によるトラフィックチャネル数監視時の動作例を示す。
図４は、トラフィックチャネル数監視部１５２のトラフィックチャネル数監視時の動作例を示すフローチャートである。
ステップＳＴ１１：
トラフィックチャネル数監視部１５２は、トラフィックチャネル獲得処理部１５３が獲得したトラフィックチャネルがある場合は、ステップＳＴ１２に進み、ない場合は、処理を終了する。
ステップＳＴ１２：
トラフィックチャネル数監視部１５２は、記憶部１２に記憶された負荷率値と最大トラフィックチャネル数獲得情報とを基に獲得可能最大トラフィックチャネル数を取得し、すでに獲得したトラフィックチャネルの数との比較を行う。
【００１７】
ステップＳＴ１３：
ステップＳＴ１２において、トラフィックチャネル獲得処理部１５３が獲得したトラフィックチャネルの数が最大トラフィックチャネル数以下であった場合は処理を終了し、最大トラフィックチャネル数を超える場合はステップＳＴ１４に進む。
ステップＳＴ１４：
トラフィックチャネル数監視部１５２は、獲得しているトラフィックチャネル数が最大トラフィックチャネル数以下になるまでトラフィックチャネルの解放を繰り返す。
ステップＳＴ１５：
トラフィックチャネル数監視部１５２は、ステップＳＴ１４におけるトラフィックチャネルの解放に関するトラフィックチャネル解放情報をトラフィックチャネル要求部１５４に通知する。
【００１８】
トラフィックチャネル獲得処理部１５３は、後述するトラフィックチャネル要求部１５４からのトラフィックチャネルの獲得要求（割り当て要求）に応じて、報知チャネル受信処理部１５１が受信した負荷率値を基に、最大トラフィックチャネル数獲得情報を参照して負荷率値に対応した獲得可能な最大トラフィックチャネル数を読み出し、すでに獲得したトラフィックチャネル数が、獲得可能最大トラフィックチャネル数よりも少ない場合は、トラフィックチャネル要求を通信部１１を介して基地局２に送信し、トラフィックチャネル獲得処理を行う。トラフィックチャネル獲得処理部１５３が獲得したトラフィックチャネル数が、獲得可能最大トラフィックチャネル数よりも多い場合は、トラフィックチャネル要求部１５４にリソース不足によりトラフィックチャネルの新規獲得ができない旨を通知し、トラフィックチャネル獲得処理を行わない。
【００１９】
図５に、トラフィックチャネル獲得処理部１５３のトラフィックチャネル獲得処理時の動作例を示す。
図５は、トラフィックチャネル獲得処理部１５３のトラフィックチャネル獲得処理時の動作例を示すフローチャートである。
ステップＳＴ２１：
トラフィックチャネル獲得処理部１５３は、トラフィックチャネル要求部１５４からのトラフィックチャネルの獲得を要求される。
ステップＳＴ２２：
トラフィックチャネル獲得処理部１５３は、すでに獲得したトラフィックチャネルがある場合は、ステップＳＴ２３に進み、ない場合は、処理を終了する。
【００２０】
ステップＳＴ２３：
トラフィックチャネル獲得処理部１５３は、記憶部１２に記憶された負荷率値と最大トラフィックチャネル数獲得情報とを基に最大トラフィックチャネル数を取得し、すでに獲得したトラフィックチャネルの数との比較を行う。
ステップＳＴ２４：
ステップＳＴ２３において、すでに獲得したトラフィックチャネルの数が最大トラフィックチャネル数以下であった場合はステップＳＴ２５に進み、最大トラフィックチャネル数を超える場合はステップＳＴ２６に進む。
【００２１】
ステップＳＴ２５：
トラフィックチャネル獲得処理部１５３は、ステップＳＴ２１におけるトラフィックチャネル要求部１５４からの要求に応じてトラフィックチャネル獲得処理を開始する。
ステップＳＴ２６：
トラフィックチャネル獲得処理部１５３は、トラフィックチャネル要求部１５４にリソース不足によりトラフィックチャネルの新規獲得ができない旨を通知して処理を終了する。
【００２２】
トラフィックチャネル要求部１５４は、無線通信プロトコルにおいてトラフィックチャネル数受信部およびトラフィックチャネル獲得処理部１５３が含まれるレイヤ１（物理層）の上位レイヤ、レイヤ２（データリンク層）に含まれており、ユーザの操作部１４等による操作により通信部１１を介して基地局２との通信が開始される場合等、トラフィックチャネルが必要である場合には、トラフィックチャネル獲得処理部１５３にトラフィックチャネルの獲得を要求する。
また、トラフィックチャネル要求部１５４は、トラフィックチャネル数監視部１５２によりトラフィックチャネルを解放した旨が通知された場合及びトラフィックチャネル獲得処理部１５３によってトラフィックチャネルの新規獲得ができない旨が通知された場合には、後述するハンドオーバ処理部に対してハンドオーバを要求する。ここで、ハンドオーバ処理部１５５のハンドオーバ処理において、ハンドオーバ候補が存在しない、あるいはハンドオーバが失敗した場合には、所定の時間の待機後、再度トラフィックチャネル獲得処理部１５３にトラフィックチャネルの獲得を要求する。
【００２３】
図６に、トラフィックチャネル要求部１５４のトラフィックチャネル獲得時の動作例を示す。
図６は、トラフィックチャネル要求部１５４のトラフィックチャネル獲得時の動作例を示すフローチャートである。
ステップＳＴ３１：
トラフィックチャネル要求部１５４は、トラフィックチャネルが必要であるか否かの判断を行い、必要である場合はステップＳＴ３２に進み、必要ない場合は処理を終了する。
ステップＳＴ３２：
トラフィックチャネル要求部１５４は、トラフィックチャネル獲得処理部１５３に対し、トラフィックチャネルの獲得要求を発行する。
【００２４】
ステップＳＴ３３：
ステップＳＴ３２においてトラフィックチャネル獲得処理部１５３にトラフィックチャネル獲得要求を発行した結果、トラフィックチャネル獲得処理部１５３がトラフィックチャネルの獲得に成功した場合は処理を終了し、失敗した場合にはステップＳＴ３４に進む。
ステップＳＴ３４：
トラフィックチャネル獲得処理部１５３によるトラフィックチャネル獲得処理が、リソース不足による失敗であった場合にはステップＳＴ３５に進み、そうでない場合（すなわち基地局との通信失敗等）にはステップＳＴ３９に進む。
【００２５】
ステップＳＴ３５：
トラフィックチャネル要求部１５４は、ハンドオーバ処理部１５５に対してハンドオーバ要求を発行する。
ステップＳＴ３６：
ステップＳＴ３５におけるハンドオーバ処理部１５５に対してのハンドオーバ要求の結果、ハンドオーバ処理部１５５がハンドオーバに成功した場合には処理を終了し、失敗した場合にはステップＳＴ３７に進む。
【００２６】
ステップＳＴ３７：
トラフィックチャネル要求部１５４は、所定の時間待機する。
ステップＳＴ３８：
トラフィックチャネル要求部１５４は、ハンドオーバの失敗が所定のリトライ回数を超えた場合には処理を終了し、そうでない場合にはステップＳＴ３５に戻る。
【００２７】
ステップＳＴ３９：
トラフィックチャネル要求部１５４は、所定の時間待機する。
ステップＳＴ４０：
トラフィックチャネル要求部１５４は、トラフィックチャネル獲得処理の失敗が所定のリトライ回数を超えた場合には処理を終了し、そうでない場合にはステップＳＴ３２に戻る。
【００２８】
ハンドオーバ処理部１５５は、トラフィックチャネル要求部１５４のハンドオーバ要求を受け、ハンドオーバを実行する。
ハンドオーバ処理部１５５は、ハンドオーバを実行する際に、まず、通信部１１を介して報知チャネルを受信できたハンドオーバ候補の基地局２からの信号強度が通信可能な強度であることを確認する。ここで、信号強度が通信可能な強度であるハンドオーバ候補が存在しない場合には、ハンドオーバ候補が存在しない旨トラフィックチャネル要求部１５４に通知する。ハンドオーバ候補が存在する場合は、現在接続している基地局より多くトラフィックチャネルを獲得できるハンドオーバ候補を探し、その中でもっとも信号強度が強い基地局へのハンドオーバを開始する。ハンドオーバ処理の具体的な方法については、本実施形態では省略する。既存の技術を利用することができる。
【００２９】
図７に、ハンドオーバ処理部１５５のハンドオーバ時の動作例を示す。
図７は、ハンドオーバ処理部１５５のハンドオーバ時の動作例を示すフローチャートである。
ステップＳＴ５１：
ハンドオーバ処理部１５５は、トラフィックチャネル要求部１５４からハンドオーバ要求を受ける。
ステップＳＴ５２：
ハンドオーバ処理部１５５は、ハンドオーバ候補が存在する場合にはステップＳＴ５３に進み、そうでない場合はステップＳＴ６０に進む。
【００３０】
ステップＳＴ５３：
ステップＳＴ５２におけるハンドオーバ候補が通信可能な信号強度である場合はステップＳＴ５４に進み、そうでない場合はステップＳＴ６０に進む。
ステップＳＴ５４：
ハンドオーバ処理部１５５は、各ハンドオーバ候補の負荷率値を基に、記憶部１２の最大トラフィックチャネル数獲得情報からそれぞれの候補の最大トラフィックチャネル数を読み出す。
【００３１】
ステップＳＴ５５：
ステップＳＴ５４の結果から、現在接続中の基地局より多いトラフィックチャネル数を獲得可能なハンドオーバ候補が存在する場合はステップＳＴ５６に進み、そうでない場合はステップＳＴ６０に進む。
ステップＳＴ５６：
ハンドオーバ処理部１５５は、現在接続中の基地局より多いトラフィックチャネル数を獲得可能なハンドオーバ候補の中から、最も強い信号強度であるハンドオーバ候補を選択する。
【００３２】
ステップＳＴ５７：
ハンドオーバ処理部１５５は、ハンドオーバ処理を開始する。
ステップＳＴ５８：
ステップＳＴ５７において開始されたハンドオーバ処理が成功した場合はステップＳＴ５９に進み、そうでない場合はステップＳＴ６１に進む。
【００３３】
ステップＳＴ５９：
ハンドオーバ処理部１５５は、ハンドオーバ処理に成功した旨をトラフィックチャネル要求部１５４に通知する。
ステップＳＴ６０：
ハンドオーバ処理部１５５は、ハンドオーバ候補が存在しない旨をトラフィックチャネル要求部１５４に通知する。
【００３４】
ステップＳＴ６１：
他のハンドオーバ候補が残っている場合はステップＳＴ５７に戻り、残っていない場合はステップＳＴ６２に進む。
ステップＳＴ６２：
ハンドオーバ処理部１５５は、ハンドオーバ処理に失敗した旨をトラフィックチャネル要求部１５４に通知する。
【００３５】
また、制御部１５は、上述した各構成により、上述した基地局の負荷率値に応じて３つの動作モードをとることが可能である。以下、制御部１５の３つの動作モードについて説明する。
【００３６】
第１のモードは、負荷率値に応じてトラフィックチャネル獲得要求を控えるか否かの判断を行うモードである。
具体的には、第１のモードにおいてはトラフィックチャネルを新たに獲得する必要が生じた場合に、トラフィックチャネル要求部１５４がトラフィックチャネル獲得処理部１５３に対してトラフィックチャネル獲得要求を発行し、これを受けたトラフィックチャネル獲得処理部１５３が記憶部１２に記憶された最大トラフィックチャネル数獲得情報と、現在接続中の基地局の負荷率値とを読み出し、最大トラフィックチャネル数獲得情報から負荷率値に対応する獲得可能最大トラフィックチャネル数を読み出し、獲得可能最大トラフィックチャネル数がすでに獲得しているトラフィックチャネル数よりも少ない場合はトラフィックチャネル獲得処理部１５３が新たにトラフィックチャネル獲得処理を行い、獲得可能最大トラフィックチャネル数がすでに獲得しているトラフィックチャネル数よりも多い場合にはトラフィックチャネル獲得処理部１５３が新たなトラフィックチャネルの獲得を控える。
【００３７】
すなわち、第１のモードにおいては、記憶部１２に記憶された最大トラフィックチャネル数獲得情報に従って、すでに獲得しているトラフィックチャネル数が負荷率値に対応した最大トラフィックチャネル数より多い場合はトラフィックチャネル獲得処理部１５３が新たなトラフィックチャネルの獲得を控えるので、無線通信システム１００における通信規制を無線端末１が単独で行うことができる。また、この通信規制の強さ（どの程度規制するのか）は、無線端末１の記憶部１２が記憶する最大トラフィックチャネル数獲得情報により管理されているため、無線通信システム１００の管理者が最大トラフィックチャネル数獲得情報を編集することによって、規制の強さを容易に制御することができる。
【００３８】
なお、第１のモードでは、上述したハンドオーバ処理部１５５によるハンドオーバ処理は行わない。獲得可能最大トラフィックチャネル数がすでに獲得しているトラフィックチャネル数よりも多い場合には、トラフィックチャネル獲得処理部１５３が新たなトラフィックチャネルの獲得を控え、ハンドオーバ処理を行わずに処理を終了する。従って、第１のモードでは、図６のトラフィックチャネル要求部１５４のフローチャートにおいて、ステップＳＴ３５以降は行われずに処理が終了される。
【００３９】
次に、第２のモードは、優先度に応じた最大トラフィックチャネル数獲得情報を参照して、負荷率値に応じてトラフィックチャネル獲得要求を控えるか否かの判断を行うモードである。
優先度とは、無線端末１ごとに設定された値であり、優先度が高いほど、同一の負荷率値でも多いトラフィックチャネル数を獲得することができる。優先度は、あらかじめ無線端末１ごとに無線端末１の使用者と無線通信システム１００を展開する事業者との間の契約内容で決定された、当該端末が無線通信においてどれほど優先的にトラフィックチャネル数を獲得できるか、を示すパラメータであり、契約の内容が高級であるほど優先度が高くなり、優先度が高いほど同一の負荷率値に対する最大トラフィックチャネル獲得数が多く設定される。
【００４０】
優先度は、例えば１から４まで存在し、それぞれの優先度において最大トラフィックチャネルの獲得可能数が異なっている。すなわち、記憶部１２に記憶された最大トラフィックチャネル数獲得情報は優先度に応じた複数のテーブルを有しており、無線端末１の新たなトラフィックチャネル取得時には、無線端末１の優先度に応じたテーブルの最大トラフィックチャネル数獲得情報が参照され使用される。
図８は、優先度に応じた最大トラフィックチャネル数獲得情報の一例を示す図である。優先度１では負荷率値による制限を受けず、優先度２では図８に示すテーブル１に示すとおり獲得可能最大トラフィックチャネル数に制限を受け、優先度３では図８に示すテーブル２に示すとおり獲得可能最大トラフィックチャネル数に制限を受け、優先度４では図８に示すテーブル３に示すとおり獲得可能最大トラフィックチャネル数に制限を受ける。
【００４１】
なお、第２のモードにおける無線端末１の動作は、優先度に応じた最大トラフィックチャネル数獲得情報を使用することを除いて第１のモードと同様である。
すなわち、具体的には、記憶部１２に記憶された、無線端末１の優先度に応じた最大トラフィックチャネル数獲得情報に従って、すでに獲得しているトラフィックチャネル数が負荷率値に対応した最大トラフィックチャネル数より多い場合はトラフィックチャネル獲得処理部１５３が新たなトラフィックチャネルの獲得を控えるので、無線通信システム１００における通信規制を無線端末１が単独で行うことができる。また、この通信規制の強さ（どの程度規制するのか）は、無線端末１の記憶部１２が記憶する最大トラフィックチャネル数獲得情報により管理されているため、無線通信システム１００の管理者が無線端末１の優先度を管理することによって、無線端末１ごとの規制の強さを容易に制御することができる。
【００４２】
なお、第２のモードでも、第１のモードと同様、上述したハンドオーバ処理部１５５によるハンドオーバ処理は行わない。獲得可能最大トラフィックチャネル数がすでに獲得しているトラフィックチャネル数よりも多い場合には、トラフィックチャネル獲得処理部１５３が新たなトラフィックチャネルの獲得を控え、ハンドオーバ処理を行わずに処理を終了する。従って、第２のモードでは、図６のトラフィックチャネル要求部１５４のフローチャートにおいて、ステップＳＴ３５以降は行われずに処理が終了される。
【００４３】
第３のモードは、接続可能なハンドオーバ候補の基地局にハンドオーバ処理を行うモードである。すなわち、第３のモードにおいては、トラフィックチャネルの獲得処理がリソース不足により失敗するまでは、上述した第１のモード或いは第２のモードと同様の処理を行い、トラフィックチャネルの獲得処理がリソース不足により失敗した場合に、トラフィックチャネル要求部１５４がハンドオーバ処理部１５５にハンドオーバ要求を発行し、ハンドオーバ処理部１５５がハンドオーバ処理を行う。
【００４４】
無線端末１にでは、上述した３つのモードを自由に（例えば操作部１４による操作等に応じて）設定することが可能である。設定されたモードに関する情報は、例えばモード情報として記憶部１２に記憶されればよい。制御部１５は、動作時に記憶部１２のモード情報を参照して、モードに従った動作を行う。
なお、第１のモードにおいては、優先度が参照されないため、最大トラフィックチャネル数獲得情報の複数のテーブルのうち、例えば規制が最も強いテーブル（図８におけるテーブル４）等、規制があるテーブルのうちいずれか１つを最大トラフィックチャネル数獲得情報として使用するようにすればよい。
【００４５】
また、緊急時等には、上述したモードに従わない動作を行うようにしてもよい。
すなわち、制御部１５は、緊急用電話番号（１１０、１１８、１１９等）が発呼された場合には、モード情報を参照せず、また、最大トラフィックチャネル数獲得情報の複数のテーブルのうち、規制が行われないテーブルを使用して、トラフィックチャネルの獲得処理を行うようにすればよい。
【００４６】
以上説明したように、本発明の無線通信システム１００によれば、無線端末１において、トラフィックチャネルが必要になった場合に、記憶部１２に記憶された最大トラフィックチャネル数獲得情報に従って、すでに獲得しているトラフィックチャネル数が負荷率値に対応した最大トラフィックチャネル数より多い場合はトラフィックチャネル獲得処理部１５３が新たなトラフィックチャネルの獲得を控えるので、無線通信システム１００における通信規制を無線端末１単独で行うことができる（第１のモードの場合）。
【００４７】
また、本発明の無線通信システム１００によれば、無線端末１の優先度に応じた最大トラフィックチャネル数獲得情報に従って、すでに獲得しているトラフィックチャネル数が負荷率値に対応した最大トラフィックチャネル数より多い場合はトラフィックチャネル獲得処理部１５３が新たなトラフィックチャネルの獲得を控えるので、無線端末１の優先度を管理することによって、無線端末１ごとの規制の強さを容易に制御することができる（第２のモードの場合）。このため、優先度を使用者と無線通信システム１００を展開する事業者との間の契約内容に応じて設定することにより、高級な契約をした使用者にはトラフィックチャネル要求時の規制をなくし、それ以外の使用者には規制を行うことによって、無線端末１の使用者間での差別化を図ることができる。
【００４８】
また、本発明の無線通信システム１００によれば、新規のトラフィックチャネル獲得時に無線リソース不足によりトラフィックチャネル獲得に失敗した場合に、ハンドオーバ処理部１５５が、報知チャネルを受信できたハンドオーバ候補の基地局２からの信号強度が通信可能な強度であることを確認し、ハンドオーバ候補が存在する場合は、現在接続している基地局より多くトラフィックチャネルを獲得できるハンドオーバ候補を探した後、その中でもっとも信号強度が強い基地局へのハンドオーバを開始するため、ハンドオーバ先での通信状況がハンドオーバを行う前と比較して必ず改善される。
【００４９】
また、本発明の無線通信システム１００によれば、上述したように各無線端末１による通信規制が行われるので、各基地局間の負荷分散を図ることができる。
【００５０】
本発明は上述した実施形態には限定されない。
すなわち、本発明の実施に際しては、本発明の技術的範囲またはその均等の範囲内において、上述した実施形態の構成要素に関し様々な変更、コンビネーション、サブコンビネーション、並びに代替を行ってもよい。
【００５１】
上述した実施形態では、最大トラフィックチャネル数獲得情報は記憶部１２に記憶されているとしたが、本発明はこれには限定されない。すなわち、例えば、ＳＩＭ（Subscriber Identify Module）カードのような外部記憶メディアによって供給されてもよい。
【図面の簡単な説明】
【００５２】
【図１】図１は、無線通信システム１００の構成例を示す図である。
【図２】図２は、無線端末１の構成例を示すブロック図である。
【図３】図３は、報知チャネル受信処理部１５１の報知チャネル受信処理時の動作例を示すフローチャートである。
【図４】図４は、トラフィックチャネル数監視部１５２のトラフィックチャネル数監視時の動作例を示すフローチャートである。
【図５】図５は、トラフィックチャネル獲得処理部１５３のトラフィックチャネル獲得処理時の動作例を示すフローチャートである。
【図６】図６は、トラフィックチャネル要求部１５４のトラフィックチャネル獲得時の動作例を示すフローチャートである。
【図７】図７は、ハンドオーバ処理部１５５のハンドオーバ時の動作例を示すフローチャートである。
【図８】図８は、優先度に応じた最大トラフィックチャネル数獲得情報の一例を示す図である。
【符号の説明】
【００５３】
１００…無線通信システム、１…無線端末、１１…通信部、１２…記憶部、１３…表示部、１４…操作部、１５…制御部、１５１…報知チャネル受信処理部、１５２…トラフィックチャネル数監視部、１５３…トラフィックチャネル獲得処理部、１５４…トラフィックチャネル要求部、１５５…ハンドオーバ処理部、２…基地局
【図１】
2008187546.tif 000003
【図２】
2008187546.tif 000004
【図３】
2008187546.tif 000005
【図４】
2008187546.tif 000006
【図５】
2008187546.tif 000007
【図６】
2008187546.tif 000008
【図７】
2008187546.tif 000009
【図８】
2008187546.tif 000010